(57)【特許請求の範囲】
【請求項１】
複数の操作釦を有したワイヤレス集中操作器と、
このワイヤレス集中操作器からの呼出信号を受信解読して、必要な情報を表示する表示窓を有したワイヤレス呼出表示受信器とを少なくとも組み合わせて構成されたワイヤレスコールシステムにおいて、
上記ワイヤレス呼出表示受信器は、登録すべき遠隔操作を選択的に登録する遠隔操作用発信器登録モードを実行する機能を備えており、
遠隔操作用発信器登録モードの実行中に、登録すべき遠隔操作として番号消去が少なくとも選択されているときに、上記ワイヤレス集中操作器のいずれかの操作釦が操作されたときには、そのワイヤレス集中操作器から発信されたＩＤコードに対して、選択された番号消去を登録することによって、そのワイヤレス集中発信器の操作釦を、番号消去機能に割り付けて登録できることを特徴とする、遠隔操作登録機能を備えたワイヤレスコールシステム。
【請求項２】
複数の操作釦を有したワイヤレス集中操作器と、
このワイヤレス集中操作器からの呼出信号を受信解読して、必要な情報を表示する表示窓を有したワイヤレス呼出表示受信器とを少なくとも組み合わせて構成されたワイヤレスコールシステムにおいて、
上記ワイヤレス呼出表示受信器は、遠隔操作のための種々の遠隔操作機能を割付登録する遠隔操作機能別登録モードを設定し実行する機能を備えており、
遠隔操作機能別登録モードの実行中に、登録すべき遠隔操作機能として番号消去が少なくとも選択されているときに、上記ワイヤレス集中操作器のいずれかの操作釦が操作されたときには、そのワイヤレス集中操作器から発信されたＩＤコードに対して、選択された番号消去を登録することによって、そのワイヤレス集中操作器の操作した操作釦を、選択設定した遠隔操作機能に割付けて登録出来るようにした、遠隔操作登録機能を備えたワイヤレスコールシステム。
【請求項３】
請求項２において、
ワイヤレス個別発信器を更に含み、
上記ワイヤレス呼出表示受信器を上記遠隔操作機能別登録モードに設定しているときに、上記ワイヤレス個別発信器の操作釦を操作すれば、そのワイヤレス個別発信器から発信されたＩＤコードを登録することによって、そのワイヤレス個別発信器を、少なくとも番号消去に対応して登録出来るようにした、遠隔操作登録機能を備えたワイヤレスコールシステム。
【請求項４】
請求項１〜３のいずれかにおいて、
上記ワイヤレス呼出表示受信器は、呼出用発信器を登録する呼出用発信器登録モードを設定し実行する機能を備えており、
その呼出用発信器登録モードが選択設定されたときに、上記ワイヤレス集中操作器のいずれかの操作釦が操作されたときには、そのワイヤレス集中操作器から発信されたＩＤコードを登録することによって、そのワイヤレス集中操作器の操作した操作釦に、呼出表示用操作機能を割付けて登録出来るようにした、遠隔操作登録機能を備えたワイヤレスコールシステム。
【請求項５】
請求項４において、
ワイヤレス個別発信器を更に含み、
上記ワイヤレス呼出表示受信器を上記呼出用発信器登録モードに設定しているときに、
上記ワイヤレス個別発信器の操作釦を操作すれば、そのワイヤレス個別発信器から発信されたＩＤコードを登録することによって、そのワイヤレス個別発信器を、呼出用発信器として登録出来るようにした、遠隔操作登録機能を備えたワイヤレスコールシステム。
【請求項６】
請求項４において、
複数の操作釦を有したワイヤレス集中発信器を更に含み、
上記ワイヤレス呼出表示受信器を上記呼出用発信器登録モードに設定しているときに、
上記ワイヤレス集中発信器の操作釦を操作すれば、そのワイヤレス集中発信器から発信されたＩＤコードを登録することによって、そのワイヤレス集中発信器の操作釦に呼出用発信機能を割付けて登録出来るようにした、遠隔操作登録機能を備えたワイヤレスコールシステム。
【発明の詳細な説明】
【０００１】
【発明の属する技術分野】
複数の操作釦を有したワイヤレス集中操作器と、このワイヤレス集中操作器からの呼出信号を受信解読して、必要な情報を表示する表示窓を有したワイヤレス呼出表示受信器とを少なくとも組み合わせて構成されたワイヤレスコールシステムの改良に関する。
【０００２】
【従来の技術】
従来より、レストランなどにおいては、ワイヤレスコールシステムが多用されており、このものでは、複数の発信器の操作釦のいずれかを操作すると、この発信器から所定のワイヤレス信号が出力され、受信器において番号表示や特定機能を実行する。
【０００３】
また、集中発信器のいずれかの数字釦を操作後、所望の機能釦を操作すると、対応する所定のワイヤレス信号が出力され、これを受信した受信器において、対応する機能、例えば、数字釦の数字を表示した呼出処理をする。
【０００４】
更に、番号消去用の発信器や、集中操作器のいずれかの操作釦を操作すれば、これを受けた受信器は、表示している番号を消去する。
【０００５】
【発明が解決しようとする課題】
ところで、このような従来のワイヤレスコールシステムでは、発信器は１つの番号の呼出、１つの特定機能しか受信器に対して実行させることができず、複数の番号呼出や特定機能の数に応じて、複数の発信器を用意する必要があった。
【０００６】
また、集中発信器から受信器に対して番号表示を実行させる際には、数字釦を操作した後、機能釦を操作するという、２段階の操作が必要なため、特定番号を繰り返し呼び出すのに不便であった。
【０００７】
更に、集中操作器は、特定の番号を消去させる機能しかなく、番号呼出に使用することができなかった。
【０００８】
本発明は、上記事情を考慮してなされたものであり、集中発信器のワンタッチ操作のみで、受信機に対して、番号呼出や番号消去などの各種機能を実行させることのできるワイヤレスコールシステムを提供することを目的としている。
【０００９】
【課題を解決するための手段】
上記目的を達成するために、請求項１では、ワイヤレス呼出表示受信器は、登録すべき遠隔操作を選択的に登録する遠隔操作用発信器登録モードを実行する機能を備えており、遠隔操作用発信器登録モードの実行中に、登録すべき遠隔操作として番号消去が少なくとも選択されているときに、ワイヤレス集中操作器のいずれかの操作釦が操作されたときには、そのワイヤレス集中操作器から発信されたＩＤコードに対して、選択された番号消去を登録することによって、そのワイヤレス集中発信器の操作釦を、番号消去機能に割り付けて登録できることを特徴とする。
【００１０】
請求項２では、ワイヤレス呼出表示受信器は、遠隔操作のための種々の遠隔操作機能を割付登録する遠隔操作機能別登録モードを設定し実行する機能を備えており、遠隔操作機能別登録モードの実行中に、登録すべき遠隔操作機能として番号消去が少なくとも選択されているときに、ワイヤレス集中操作器のいずれかの操作釦が操作されたときには、そのワイヤレス集中操作器から発信されたＩＤコードに対して、選択された番号消去を登録することによって、そのワイヤレス集中操作器の操作した操作釦を、選択設定した遠隔操作機能に割付けて登録出来るようにした。
【００１１】
請求項３では、ワイヤレス個別発信器を更に含み、ワイヤレス呼出表示受信器を遠隔操作機能別登録モードに設定しているときに、ワイヤレス個別発信器の操作釦を操作すれば、そのワイヤレス個別発信器から発信されたＩＤコードを登録することによって、そのワイヤレス個別発信器を、少なくとも番号消去に対応して登録出来るようにした、遠隔操作登録機能を備えている。
【００１２】
請求項４に記載のワイヤレスコールシステムでは、ワイヤレス呼出表示受信器は、呼出用発信器を登録する呼出用発信器登録モードを設定し実行する機能を備えており、その呼出用発信器登録モードが選択設定されたときに、ワイヤレス集中操作器のいずれかの操作釦が操作されたときには、そのワイヤレス集中操作器から発信されたＩＤコードを登録することによって、そのワイヤレス集中操作器の操作した操作釦に、呼出表示用操作機能を割付けて登録出来るようにした。
【００１３】
請求項５に記載のワイヤレスコールシステムでは、ワイヤレス個別発信器を更に含み、ワイヤレス呼出表示受信器を呼出用発信器登録モードに設定しているときに、ワイヤレス個別発信器の操作釦を操作すれば、そのワイヤレス個別発信器から発信されたＩＤコードを登録することによって、そのワイヤレス個別発信器を、呼出用発信器として登録出来るようにした。
【００１４】
請求項６に記載のワイヤレスコールシステムでは、複数の操作釦を有したワイヤレス集中発信器を更に含み、ワイヤレス呼出表示受信器を呼出用発信器登録モードに設定しているときに、ワイヤレス集中発信器の操作釦を操作すれば、そのワイヤレス集中発信器から発信されたＩＤコードを登録することによって、そのワイヤレス集中発信器の操作釦に呼出用発信機能を割付けて登録出来るようにした。
【００１５】
【発明の実施の形態】
以下に、本発明の実施の形態について、図面とともに説明する。図１は、図１は、本発明のワイヤレス呼出システムの要部構成の一例を示す図である。
【００１６】
このシステムは、少なくとも、複数のワイヤレス発信器５Ａと、ワイヤレス発信器５Ａから送信されてきた呼出信号を受信解読して、複数の表示窓のうち、いずれかの表示窓に、必要な情報、すなわち、呼出情報を表示するワイヤレス呼出表示受信器１とで構成されている。なお、その他の構成要素については後述する。
【００１７】
このものでは、通常モードと、後述する２種の登録モードとを備える。通常モードでは、図２のフローチャートに示すように、発信器、例えば、集中発信器５Ｃのいずれかの操作釦を操作したときには、集中発信器５からは所定のワイヤレス信号が出力され、これを受信器１で受信解読して、解読されたＩＤコードが予め登録されたＩＤコードに一致するかどうかを判別する（１００）。
【００１８】
そして、受信器１は、そのＩＤコードが、遠隔操作に対応して登録されたものか、通常呼出に対応して登録されたものかを判別する（１０１）。
【００１９】
このとき、遠隔操作に対応して登録されたものであればその操作を実行する一方（１０２）、通常呼出に対応して登録されたものであれば、その呼出を実行する（１０３）。
【００２０】
このような処理を可能にするため、受信機１は、以下の２種の登録モードを備えている。すなわち、遠隔操作用発信器登録モードと呼出用発信器登録モードの２種である。
【００２１】
受信器１は、遠隔操作用発信器登録モードにすると、登録すべき遠隔操作が選択でき、いずれかの遠隔操作を選択した状態で、集中発信器５Ｃの操作釦を操作すると、集中発信器５Ｃからの信号を受信解読して、解読したＩＤコードを、選択した遠隔操作の制御コマンドとともに、後述する記憶部に格納する。
【００２２】
一方、呼出用発信器登録モードにすると、登録すべき呼出用発信器が登録でき、その状態で、集中発信器５Ｃのいずれかの操作釦を操作すると、集中発信器５Ｃからの信号を受信解読して、解読したＩＤコードを、呼出用の制御コマンドとともに、後述する記憶部に格納する。
【００２３】
このような登録手順については、図３のフローチャート（２００〜２０２）に示しておく。
【００２４】
図４は、受信器１の内部構成の一例を示す図である。
【００２５】
この受信器１では、無線受信部１１がアンテナａを通じてワイヤレス信号を受信すると、その信号を復調部１２で復調した後、波形整形部１３で整形し、信号処理部１０が信号の内容を判別する。無線受信部１１は、ＰＬＬ制御部１４によって発振制御がされている。
【００２６】
ＲＡＭなどで構成された記憶部１５には、予め、ワイヤレス信号に含まれるＩＤコードに対応した番号や制御コマンドが登録されており、信号処理部１０は、信号を受信すると記憶部１５を参照して処理を判断する。
【００２７】
また、１６はその他の押しボタンなどで構成される操作部、１７は表示窓や液晶ディスプレイなどで構成される表示部、１８はチャイム音や音声メッセージなどによって、呼出音などを報知する報知部１８、１９は後述する呼出メッセージ鳴動器といった外部機器に呼出情報を出力する外部データ出力部である。
【００２８】
本発明のワイヤレス呼出システムでは、図１に示すように、ワイヤレス呼出受信器１、集中発信器５Ｃの他、以下の構成要素を備える。
【００２９】
すなわち、１’は増設受信器であり、送信器５Ａの数が表示窓の数を超える場合に使用され、受信器１で表示できない送信器番号を表示する。２は増設アンテナであり、送信器５Ａを含む各種送信器５Ａ〜５Ｆからのワイヤレス信号が受信器１に到達しにくい場合に使用される。３は増設スピーカであり、受信器１から出力される呼出音が到達しにくい場所で使用される。
【００３０】
また、４は各種センサである。４Ａは、人体検知センサであり、来客などを検知すれば、その検知信号を受信器１に出力して、受信器１から所定の音を出力させる。４Ｂは、録音・再生機能付センサであり、来客などを検知すれば、その検知信号を受信器１に出力して、受信器１から所定の音を出力させる他、来客に対する音声メッセージを自由に録音して、来客などを検知したときに当該録音した音声メッセージを再生する。
【００３１】
更に、５Ａはワイヤレス個別発信器であり、操作釦５１Ａの操作によって、受信器１に対して信号を出力し、登録された機能を実行させる。この個別発信器５Ａも、先述の２種の登録モードで登録できる。
【００３２】
すなわち、遠隔操作用発信器登録モードにすると、登録すべき遠隔操作が選択でき、いずれかの遠隔操作を選択した状態で、個別発信器５Ａの操作釦５１Ａを操作すると、個別発信器５Ａからの信号を受信解読して、解読したＩＤコードを、選択した遠隔操作の制御コマンドとともに、記憶部１５に格納する。
【００３３】
一方、呼出用発信器登録モードにすると、登録すべき呼出用発信器が登録でき、その状態で、個別発信器５Ａの操作釦５１Ａを操作すると、個別発信器５Ａからの信号を受信解読して、解読したＩＤコードを、呼出用の制御コマンドとともに、記憶部１５に格納する。
【００３４】
このようにして登録された後には、通常モードにおいて、個別発信器５Ａからの信号を受信すると、受信器１はその信号を受信解読して、解読したＩＤコードに対応して登録された機能、すなわち、遠隔操作か通常呼出を実行する。
【００３５】
５Ｂは表示消去用送信器であり、ワイヤレス呼出送信器５Ａに対応する消去信号を送信することによって、ワイヤレス呼出受信器に表示されているワイヤレス呼出送信器の番号表示を消去させる。
５Ｄは集中消去器であり、受信器１，１に表示されている送信器番号を消去する。
【００３６】
５Ｅは表示機能選択用送信器であり、受信器１に対し、先述した番号表示態様の選択用の信号を送信して、その選択をさせる。このとき、受信器１から増設用受信器１’へはその選択用の信号が伝送され、受信器１’においても受信器１と同様の番号表示機能を実行する。５Ｆは来客センサ制御用送信器であり、来客センサ４Ａ，４Ｂが検知したときの受信器１における報知態様を制御する。
【００３７】
６は呼出メッセージ鳴動器であり、送信器５Ａから呼出があったときには、その旨を送信器５Ａの番号を含めて呼出メッセージとして伝える。
【００３８】
ここで、送信器５Ａは、例えばレストランで使用される場合には、客が呼出操作しやすく、かつ、接客係が番号消去操作をしやすいように、テーブルの通路側に固定されていることが望ましい。
【００３９】
【発明の効果】
以上の説明からも理解できるように、本発明の請求項１、２に記載のワイヤレスコールシステムでは、ワイヤレス呼出表示受信器は、遠隔操作用発信器登録モードが選択設定されたときに、ワイヤレス集中操作器のいずれかの操作釦が操作されたときには、そのワイヤレス集中操作器から発信されたＩＤコードを登録することによって、そのワイヤレス集中操作器の操作釦を、予め遠隔操作のために設定した機能に割付けて登録出来るようにしているので、複数の機能を行う際にも、複数個の個別発信器を用意する必要がない。
【００４０】
また、登録操作も一度行うだけで複数個の操作釦の役割が割り当てられるため、登録作業が簡単である。
【００４１】
したがって、発信器台数を少なくできることによる、システムの低価格化や省スペース化が図れ、また、登録作業の単純化による省施工化を図ることができる。
【００４２】
請求項３に記載のワイヤレスコールシステムでは、個別発信器を更に含み、ワイヤレス呼出表示受信器を遠隔操作機能別登録モードに設定しているときに、ワイヤレス個別発信器の操作釦を操作すれば、そのワイヤレス個別発信器から発信されたＩＤコードを登録することによって、そのワイヤレス個別発信器を、選択された個別機能に割付けて登録出来るようにしたので、複数の個別発信器毎に、所望の機能を受信器に対して割り当てることができ、利便にできる。
【００４３】
請求項４に記載のワイヤレスコールシステムでは、呼出用発信器登録モードが選択設定されたときに、ワイヤレス集中操作器のいずれかの操作釦が操作されたときには、そのワイヤレス集中操作器から発信されたＩＤコードを登録することによって、そのワイヤレス集中操作器の操作した操作釦に、呼出表示用操作機能を割付けて登録出来るようにしているので、複数の番号呼出に対応した登録を行う際にも、複数個の個別発信器を用意する必要がない。
【００４４】
また、登録操作も一度行うだけで複数個の操作釦の役割が割り当てられるため、登録作業が簡単である。
【００４５】
したがって、発信器台数を少なくできることによる、システムの低価格化や省スペース化が図れ、また、登録作業の単純化による省施工化を図ることができる。
【００４６】
請求項５に記載のワイヤレスコールシステムでは、ワイヤレス個別発信器を更に含み、ワイヤレス呼出表示受信器を呼出用発信器登録モードに設定しているときに、ワイヤレス個別発信器の操作釦を操作すれば、そのワイヤレス個別発信器から発信されたＩＤコードを登録することによって、そのワイヤレス個別発信器を、呼出用発信器として登録出来るようにしたので、複数の個別発信器毎に、呼出用の番号を受信器に対して割り当てることができ、利便にできる。
【００４７】
請求項６に記載のワイヤレスコールシステムでは、ワイヤレス呼出表示受信器を呼出用発信器登録モードに設定しているときに、ワイヤレス集中発信器の操作釦を操作すれば、そのワイヤレス集中発信器から発信されたＩＤコードを登録することによって、そのワイヤレス集中発信器の操作釦に呼出用発信機能を割付けて登録出来るようにしているので、複数の番号呼出に対応した登録を行う際にも、複数個の個別発信器を用意する必要がない。
【００４８】
また、登録操作も一度行うだけで複数個の操作釦の役割が割り当てられるため、登録作業が簡単である。
【００４９】
したがって、発信器台数を少なくできることによる、システムの低価格化や省スペース化が図れ、また、登録作業の単純化による省施工化を図ることができる。
【図面の簡単な説明】
【図１】本発明システムの要部構成の一例を示す図である。
【図２】本発明の通常モードにおける動作について説明するためのフローチャートである。
【図３】本発明の登録モードにおける動作について説明するためのフローチャートである。
【図４】受信器の内部構成の一例を示す図である。
【符号の説明】
１・・・ワイヤレス呼出表示受信器
５Ａ・・・ワイヤレス個別発信器
５Ｄ・・・ワイヤレス集中操作器
【図１】
0003826823.tif 000002
【図２】
0003826823.tif 000003
【図３】
0003826823.tif 000004
【図４】
0003826823.tif 000005